(57)【要約】【課題】  複数個の駆動回路を統合的に制御して、駆動回路それぞれに対して独立に目標出力電力を設定し、それがフードバック制御によって達成されるようにすること。【解決手段】  複数の光源素子それぞれに対する出力電力を制御する複数の駆動回路と、駆動回路それぞれのスイッチング動作のオン遷移のタイミングを規定する信号と、目標電力情報とを駆動回路に対して送信する統合制御回路と、を具備する。駆動回路のそれぞれは、複数設けた光源駆動グループの何れかに属しており、統合制御回路は、光源駆動グループの何れの２個のオン遷移も同時にはならないよう、オン遷移タイミング信号の生成を行う。駆動回路は、自身に割り当てられたオン遷移タイミング信号に従ってスイッチ素子をオン遷移させた後、スイッチ素子をオフ遷移させるタイミングを、目標電力信号と電力相関信号との差異が小さくなるようフィードバック制御によって決定する。【選択図】  図１
2015002135.tif 000002
【特許請求の範囲】
【請求項１】
複数の光源素子（Ｙ１ａ，Ｙ１ｂ，…，Ｙ２ａ，…）を駆動するために前記光源素子（Ｙ１ａ，Ｙ１ｂ，…，Ｙ２ａ，…）それぞれに対応して設けられ、少なくとも１個のスイッチ素子（Ｑ１ａ，…）を有し、直流電源（Ｍｘ）からの電流に対する前記スイッチ素子（Ｑ１ａ，…）を用いたスイッチング動作によって前記光源素子（Ｙ１ａ，Ｙ１ｂ，…，Ｙ２ａ，…）それぞれに対する出力電力を制御する複数の光源駆動回路（Ｐ１ａ，Ｐ１ｂ，…，Ｐ２ａ，…）と、
前記光源駆動回路（Ｐ１ａ，Ｐ１ｂ，…，Ｐ２ａ，…）それぞれのスイッチング動作のオン遷移のタイミングを規定するオン遷移タイミング信号（Ｅｔ１，Ｅｔ２，…）と、前記光源駆動回路（Ｐ１ａ，Ｐ１ｂ，…，Ｐ２ａ，…）それぞれの出力電力の目標値を規定する目標電力情報（Ｅｚ１，Ｅｚ２，…）とを前記光源駆動回路（Ｐ１ａ，Ｐ１ｂ，…，Ｐ２ａ，…）に対して送信する統合制御回路（Ｆｘ）と、
を具備する光源駆動装置であって、
前記光源駆動回路（Ｐ１ａ，Ｐ１ｂ，…，Ｐ２ａ，…）のそれぞれは、複数設けた光源駆動グループ（Ｕ１，Ｕ２，…）の何れかに属しており、同じ前記光源駆動グループ（Ｕ１）に属する前記光源駆動回路（Ｐ１ａ，Ｐ１ｂ，…）のそれぞれは、同じ前記オン遷移タイミング信号（Ｅｔ１）と同じ前記目標電力情報（Ｅｚ１）を受信するよう構成されており、
前記統合制御回路（Ｆｘ）は、前記光源駆動グループ（Ｕ１，Ｕ２，…）の何れの２個の前記オン遷移も同時にはならないよう、前記オン遷移タイミング信号（Ｅｔ１，Ｅｔ２，…）の生成を行うとともに、前記光源駆動グループ（Ｕ１，Ｕ２，…）それぞれに対して独立に前記目標電力情報（Ｅｚ１，Ｅｚ２，…）の生成を行うことによって、前記光源駆動回路（Ｐ１ａ，Ｐ１ｂ，…，Ｐ２ａ，…）を統合的に制御するものであって、
前記光源駆動回路（Ｐ１ａ，Ｐ１ｂ，…，Ｐ２ａ，…）は、さらに自身の出力電力に相関する量を検出して電力相関信号（Ｓｐ１，Ｓｐ２，…）を生成する電力検出手段（Ｐｘ１，…）を有しており、
前記光源駆動回路（Ｐ１ａ，Ｐ１ｂ，…，Ｐ２ａ，…）は、自身に割り当てられた前記目標電力情報（Ｅｚ１，Ｅｚ２，…）を取得して目標電力信号（Ｓｓ１，Ｓｓ２，…）を生成し、さらに自身に割り当てられた前記オン遷移タイミング信号（Ｅｔ１，Ｅｔ２，…）に従って前記スイッチ素子（Ｑ１ａ，…）をオン遷移させた後、前記スイッチ素子（Ｑ１ａ，…）をオフ遷移させるタイミングを、前記目標電力信号（Ｓｓ１，Ｓｓ２，…）と前記電力相関信号（Ｓｐ１，Ｓｐ２，…）との差異が小さくなるようフィードバック制御によって決定するオフ遷移タイミング回路（Ｕｆ１，…）を前記光源駆動回路（Ｐ１ａ，Ｐ１ｂ，…，Ｐ２ａ，…）がさらに有することを特徴とする光源駆動装置。
【請求項２】
前記統合制御回路（Ｆｘ）は、前記光源駆動グループ（Ｕ１，Ｕ２，…）のうちの１個に対する前記オン遷移から、その次に前記オン遷移を生ずる前記光源駆動グループ（Ｕ１，Ｕ２，…）に対する前記オン遷移までの時間間隔が、全て略等間隔となるよう、前記オン遷移タイミング信号（Ｅｔ１，Ｅｔ２，…）の生成を行うことを特徴とする請求項１に記載の光源駆動装置。
【請求項３】
前記オン遷移タイミング信号（Ｅｔ１，Ｅｔ２，…）は、前記光源駆動グループ（Ｕ１，Ｕ２，…）それぞれに対して別個の信号が送信されることを特徴とする請求項１または２に記載の光源駆動装置。
【請求項４】
前記オン遷移タイミング信号（Ｅｔ１，Ｅｔ２，…）は前記光源駆動グループ（Ｕ１，Ｕ２，…）の全てに対して共通の信号が送信され、さらに前記光源駆動グループ（Ｕ１，Ｕ２，…）のうちの特定の１個に対する前記オン遷移に同期したシーケンス初期化信号（Ｓｉ）が前記光源駆動回路（Ｐ１ａ，Ｐ１ｂ，…，Ｐ２ａ，…）の全てに対し共通に送信されることを特徴とする請求項１かまたは２に記載の光源駆動装置。
【請求項５】
前記目標電力情報（Ｅｚ１，Ｅｚ２，…）は、前記オン遷移タイミング信号（Ｅｔ１，Ｅｔ２，…）のパルス幅として前記オン遷移タイミング信号（Ｅｔ１，Ｅｔ２，…）に乗せられることを特徴とする請求項１から４のいずれかに記載の光源駆動装置。
【請求項６】
前記目標電力情報（Ｅｚ１，Ｅｚ２，…）は、前記オン遷移タイミング信号（Ｅｔ１，Ｅｔ２，…）の振幅として前記オン遷移タイミング信号（Ｅｔ１，Ｅｔ２，…）に乗せられることを特徴とする請求項１から４のいずれかに記載の光源駆動装置。
【請求項７】
さらに目標電力規定信号（Ｓａ）が前記光源駆動回路（Ｐ１ａ，Ｐ１ｂ，…，Ｐ２ａ，…）の全てに対し共通に送信され、前記目標電力情報（Ｅｚ１，Ｅｚ２，…）は、前記オン遷移タイミング信号（Ｅｔ１，Ｅｔ２，…）のオン遷移タイミングにおける振幅として前記目標電力規定信号（Ｓａ）に乗せられることを特徴とする請求項１から４のいずれかに記載の光源駆動装置。
【請求項８】
前記統合制御回路（Ｆｘ）は、さらに前記光源駆動グループ（Ｕ１，Ｕ２，…）それぞれに対する出力電力の目標値の設定パターンについての複数の設定パターンデータ（Ｓｒ）を記憶する電力設定パターンデータ記憶部（Ｕｍ）と、外部装置（Ｕｏ）と通信を行うための外部インターフェイス（Ｕｔ）と、を有し、前記統合制御回路（Ｆｘ）は、前記外部インターフェイス（Ｕｔ）を介して電力設定パターン選択信号（Ｓｇ）を受信すると、該電力設定パターン選択信号（Ｓｇ）に基づき前記電力設定パターンデータ記憶部（Ｕｍ）より前記設定パターンデータ（Ｓｒ）のうちの１個を読出し、読出された前記設定パターンデータ（Ｓｒ）に基づいて、前記光源駆動グループ（Ｕ１，Ｕ２，…）それぞれに対する前記オン遷移タイミング信号（Ｅｔ１，Ｅｔ２，…）の生成と前記目標電力情報（Ｅｚ１，Ｅｚ２，…）の生成とを行うことを特徴とする請求項１から７のいずれかに記載の光源駆動装置。
【請求項９】
前記光源素子（Ｙ１ａ，Ｙ１ｂ，…，Ｙ２ａ，…）とそれを駆動する前記光源駆動回路（Ｐ１ａ，Ｐ１ｂ，…，Ｐ２ａ，…）からなる組の何れかの故障を検知した場合、前記統合制御回路（Ｆｘ）は、故障を検知した前記組の前記光源駆動回路（Ｐ１ａ，Ｐ１ｂ，…，Ｐ２ａ，…）の動作を停止させるとともに、故障による光量の低下を補うために前記光源駆動回路（Ｐ１ａ，Ｐ１ｂ，…，Ｐ２ａ，…）それぞれに対する出力電力の目標値の設定パターンを変更することを特徴とする請求項１から８のいずれかに記載の光源駆動装置。
【発明の詳細な説明】
【技術分野】
【０００１】
本発明は、例えば、被照射面に対し、規定したパワー密度分布で可視または紫外、赤外の光を照射するための光照射装置などの光学装置において使用可能な、可視または紫外、赤外の、複数個のＬＥＤやＬＤなどの光源素子を点灯するための光源駆動装置に関する。
【背景技術】
【０００２】
例えば紫外の波長領域であれば、これまで、接着剤やインク等の硬化、あるいは有機物分解や殺菌などのための光照射装置の光源としては、水銀などを発光物質とする放電ランプが用いられて来た。しかしながら、放電ランプの場合、駆動回路の回路構成はインバータのような複雑なものとなるし、始動・点灯に際して高い電圧が必要なため取扱いが難しい、あるいはランプでの発熱損失が比較的大きい、寿命が短い、などの欠点を有していた。
【０００３】
これらの欠点を克服した代替光源として、近年、ＬＥＤ等の固体光源素子が注目されている。特にＬＥＤの場合、点灯のための駆動回路については、基本的に直流定電流回路によって実現が可能であるため、放電ランプ用のものに比して回路構成が比較的簡単で、低コスト化し易いという利点がある。しかし、広い面積に対して高いパワー密度で光照射を行う場合は、多数の光源素子を同時に駆動する必要があり、その実現に向けては、解決すべき幾つかの課題が存在している。
【０００４】
先ず、従来の光源駆動装置の一種を簡略化して示すブロック図である図１７を用いて従来技術について説明する。光源駆動装置は、複数の光源素子（Ｙ１，Ｙ２，Ｙ３，…）を点灯するため、それぞれに対応する光源駆動回路（Ｐ１’，Ｐ２’，Ｐ３’，…）を備えている。前記光源駆動回路（Ｐ１’，Ｐ２’，Ｐ３’，…）は、前記光源素子（Ｙ１，Ｙ２，Ｙ３，…）それぞれに所定の電力を供給するため、直流電源（Ｍｘ）からの出力を変換するためのコンバータ（Ｕｘ１’，Ｕｘ２’，Ｕｘ３’，…）をそれぞれ有している。
【０００５】
前記直流電源（Ｍｘ）からの出力を、オン状態またはオフ状態の何れかに切換えるため、前記コンバータ（Ｕｘ１’，Ｕｘ２’，Ｕｘ３’，…）は、それぞれＦＥＴ等を用いたスイッチ素子（図示を省略）を具備しており、制御回路（Ｆｘ’）から送信される目標電力信号（Ｓｓ１’，Ｓｓ２’，Ｓｓ３’，…）に基づく目標電力が実現されるよう、前記スイッチ素子のオン・オフ周期に対するオン状態期間の比、すなわちデューティサイクル比をフィードバック制御する。前記したスイッチ素子のオン遷移タイミングおよびオン・オフ周期は、前記光源駆動回路（Ｐ１’，Ｐ２’，Ｐ３’，…）それぞれに設けられている発振器（Ｏｓｃ１，Ｏｓｃ２，Ｏｓｃ３，…）それぞれからのスイッチタイミング信号（Ｅｃ１’，Ｅｃ２’，Ｅｃ３’，…）によって規定される。
【０００６】
ところが、前記発振器（Ｏｓｃ１，Ｏｓｃ２，Ｏｓｃ３，…）は独立に動作するため、前記スイッチタイミング信号（Ｅｃ１’，Ｅｃ２’，Ｅｃ３’，…）は互いに非同期であり、例えば前記光源駆動回路（Ｐ１’，Ｐ２’，Ｐ３’，…）のなかの任意の２個に注目すると、それぞれが有する２個のスイッチ素子のオン遷移が重なる現象が、それぞれの前記スイッチタイミング信号の周波数差で決まる周波数で、周期的に発生し、このとき、大きなノイズを生じることになる。
【０００７】
前記したフィードバック制御を実現するための回路方式には種々のものがあるが、特に、近年多用されるようになったカレントモードに基づくフィードバック制御方式の場合、回路に流れるピーク電流を検出して動作させるが、損失増大や特性劣化を避けるために、電流検出抵抗は小さい値のものを使う必要があり、そのため、電流検出信号は微弱にならざるを得ず、特に複数のスイッチングコンバータを並列動作させた場合は、スイッチングノイズの相互干渉を受けて、電流波形の擾乱を生じ易い欠点を有しており、そのため、前記した２個のスイッチ素子のオン遷移が重なる際に発生するノイズに起因して、電力制御の擾乱が発生してしまう。そしてこの擾乱は、前記したように、２個のスイッチタイミング信号の周波数差によってビート的に発生することになる。
【０００８】
この様子は、従来の光源駆動装置の一種の一部の動作を簡略化して示す概念図である図１８に示すようである。図１８のａは光源素子（Ｙ１）の電流波形、ｂは光源素子（Ｙ２）の電流波形、ｃは光源素子（Ｙ３）の電流波形の、本来のスイッチング動作に起因する正常な変動成分（細かなリプル等）を除去して描いたものである。前記発振器（Ｏｓｃ１，Ｏｓｃ２，Ｏｓｃ３，…）それぞれの発振周波数をいくら正確に合わせても周波数差は不可避的に発生するため、前記発振器（Ｏｓｃ１，Ｏｓｃ２，Ｏｓｃ３，…）が独立である限り、いま述べた電力制御の擾乱がビート的に発生する現象が避けられず、安定した電力制御が困難であるという問題があった。
【０００９】
前記した問題を解決するために、前記光源駆動回路（Ｐ１’，Ｐ２’，Ｐ３’，…）それぞれに前記発振器（Ｏｓｃ１，Ｏｓｃ２，Ｏｓｃ３，…）を独立に設ける代わりに、１個の信号に基づいて全てのコンバータを動作させることが考えられる。これを実現するものとして、従来よりも改善された光源駆動装置の一種を簡略化して示すブロック図である図１９を用いて説明する。制御回路（Ｆｘ’）は、コンバータ（Ｕｘ１’，Ｕｘ２’，Ｕｘ３’，…）それぞれの動作に必要なスイッチタイミング信号（Ｅｃ’）を生成し、光源駆動回路（Ｐ１’，Ｐ２’，Ｐ３’，…）に送信するように構成することにより、前記した、２個のスイッチ素子のオン遷移が重なる場合と重ならない場合の複数の場合が発生しなくなるため、前記した、電力制御の擾乱がビート的に発生する現象をある程度は抑制することができるかも知れない。
【００１０】
しかしながら、この構成の光源駆動装置では、前記コンバータ（Ｕｘ１’，Ｕｘ２’，Ｕｘ３’，…）が同じタイミングで動作するため、依然としてそれぞれのスイッチ素子のオン遷移が同じタイミングであり、大きなノイズが発生することに変わりは無く、さらに前記コンバータ（Ｕｘ１’，Ｕｘ２’，Ｕｘ３’，…）の全てが同じタイミングで前記直流電源（Ｍｘ）から電流を引出す、新たな課題が生じることになる。そのため、その瞬間に、前記直流電源（Ｍｘ）の出力電圧の低下が発生する問題があり、またこれを避けるために、前記直流電源（Ｍｘ）の出力部、または前記コンバータ（Ｕｘ１’，Ｕｘ２’，Ｕｘ３’，…）それぞれの入力部に大容量の平滑コンデンサを搭載する必要が生じる。その結果、前記直流電源（Ｍｘ）または前記光源駆動回路（Ｐ１’，Ｐ２’，Ｐ３’，…）が大型化し、かつ高コスト化する問題がある。
【００１１】
そして、制御回路（Ｆｘ’）から光源駆動回路（Ｐ１’，Ｐ２’，Ｐ３’，…）を統合的に制御するために、それぞれに対して個別に目標電力信号やスイッチタイミング信号を送信する方式の構成の場合は、前記光源駆動回路（Ｐ１’，Ｐ２’，Ｐ３’，…）の個数が大きくなると、信号線の本数や制御回路（Ｆｘ’）のＩＯポートの数が多数になり、必要な回路リソースが増して、高コスト化する問題がある。
【００１２】
一方、特開２０１１−１９２３９９号公報には、所定の発振周波数でスイッチング素子を継続的にオン・オフ制御してＬＥＤに給電する期間と、発振を停止してＬＥＤに給電しない期間とを交互に設け、それら期間の比を設定することにより、調光が可能なＬＥＤ給電回路があって、その複数個(ｎ個)を並列運転するものにおいて、所定の周期Ｔのなかで、それぞれのＬＥＤ給電回路の発振期間の開始タイミングに対し、Ｔ／ｎづつの時間差を設けるものが記載されている。しかし、この技術では、全部のＬＥＤ給電回路の巨視的な動作期間が同一期間に集中しないように制御できるため、ノイズの発生や、ＤＣ電源からの電流の引出しが、巨視的な一時期に集中ことを避けることができ、一定の効果は期待できるが、複数あるＬＥＤ給電回路のオン・オフ動作は互いに非同期であるため、前記したスイッチング素子の微視的なオン遷移タイミングの重なりは回避できず、前記した問題は解決できなかった。
【先行技術文献】
【特許文献】
【００１３】
【特許文献１】特開２０１１−１９２３９９号
【発明の概要】
【発明が解決しようとする課題】
【００１４】
本発明が解決しようとする課題は、複数個の光源駆動回路を統合的に制御して、前記光源駆動回路それぞれに対して独立に目標出力電力を設定し、それがフードバック制御によって達成されるようにした光源駆動装置を提供することにある。
【課題を解決するための手段】
【００１５】
本発明における第１の発明の光源駆動装置は、複数の光源素子（Ｙ１ａ，Ｙ１ｂ，…，Ｙ２ａ，…）を駆動するために前記光源素子（Ｙ１ａ，Ｙ１ｂ，…，Ｙ２ａ，…）それぞれに対応して設けられ、少なくとも１個のスイッチ素子（Ｑ１ａ，…）を有し、直流電源（Ｍｘ）からの電流に対する前記スイッチ素子（Ｑ１ａ，…）を用いたスイッチング動作によって前記光源素子（Ｙ１ａ，Ｙ１ｂ，…，Ｙ２ａ，…）それぞれに対する出力電力を制御する複数の光源駆動回路（Ｐ１ａ，Ｐ１ｂ，…，Ｐ２ａ，…）と、前記光源駆動回路（Ｐ１ａ，Ｐ１ｂ，…，Ｐ２ａ，…）それぞれのスイッチング動作のオン遷移のタイミングを規定するオン遷移タイミング信号（Ｅｔ１，Ｅｔ２，…）と、前記光源駆動回路（Ｐ１ａ，Ｐ１ｂ，…，Ｐ２ａ，…）それぞれの出力電力の目標値を規定する目標電力情報（Ｅｚ１，Ｅｚ２，…）とを前記光源駆動回路（Ｐ１ａ，Ｐ１ｂ，…，Ｐ２ａ，…）に対して送信する統合制御回路（Ｆｘ）と、を具備する光源駆動装置であって、前記光源駆動回路（Ｐ１ａ，Ｐ１ｂ，…，Ｐ２ａ，…）のそれぞれは、複数設けた光源駆動グループ（Ｕ１，Ｕ２，…）の何れかに属しており、同じ前記光源駆動グループ（Ｕ１）に属する前記光源駆動回路（Ｐ１ａ，Ｐ１ｂ，…）のそれぞれは、同じ前記オン遷移タイミング信号（Ｅｔ１）と同じ前記目標電力情報（Ｅｚ１）を受信するよう構成されており、前記統合制御回路（Ｆｘ）は、前記光源駆動グループ（Ｕ１，Ｕ２，…）の何れの２個の前記オン遷移も同時にはならないよう、前記オン遷移タイミング信号（Ｅｔ１，Ｅｔ２，…）の生成を行うとともに、前記光源駆動グループ（Ｕ１，Ｕ２，…）それぞれに対して独立に前記目標電力情報（Ｅｚ１，Ｅｚ２，…）の生成を行うことによって、前記光源駆動回路（Ｐ１ａ，Ｐ１ｂ，…，Ｐ２ａ，…）を統合的に制御するものであって、前記光源駆動回路（Ｐ１ａ，Ｐ１ｂ，…，Ｐ２ａ，…）は、さらに自身の出力電力に相関する量を検出して電力相関信号（Ｓｐ１，Ｓｐ２，…）を生成する電力検出手段（Ｐｘ１，…）を有しており、前記光源駆動回路（Ｐ１ａ，Ｐ１ｂ，…，Ｐ２ａ，…）は、自身に割り当てられた前記目標電力情報（Ｅｚ１，Ｅｚ２，…）を取得して目標電力信号（Ｓｓ１，Ｓｓ２，…）を生成し、さらに自身に割り当てられた前記オン遷移タイミング信号（Ｅｔ１，Ｅｔ２，…）に従って前記スイッチ素子（Ｑ１ａ，…）をオン遷移させた後、前記スイッチ素子（Ｑ１ａ，…）をオフ遷移させるタイミングを、前記目標電力信号（Ｓｓ１，Ｓｓ２，…）と前記電力相関信号（Ｓｐ１，Ｓｐ２，…）との差異が小さくなるようフィードバック制御によって決定するオフ遷移タイミング回路（Ｕｆ１，…）を前記光源駆動回路（Ｐ１ａ，Ｐ１ｂ，…，Ｐ２ａ，…）がさらに有することを特徴とするものである。
【００１６】
本発明における第２の発明の光源駆動装置は、前記統合制御回路（Ｆｘ）は、前記光源駆動グループ（Ｕ１，Ｕ２，…）のうちの１個に対する前記オン遷移から、その次に前記オン遷移を生ずる前記光源駆動グループ（Ｕ１，Ｕ２，…）に対する前記オン遷移までの時間間隔が、全て略等間隔となるよう、前記オン遷移タイミング信号（Ｅｔ１，Ｅｔ２，…）の生成を行うことを特徴とするものである。
【００１７】
本発明における第３の発明の光源駆動装置は、前記オン遷移タイミング信号（Ｅｔ１，Ｅｔ２，…）は、前記光源駆動グループ（Ｕ１，Ｕ２，…）それぞれに対して別個の信号が送信されることを特徴とするものである。
【００１８】
本発明における第４の発明の光源駆動装置は、前記オン遷移タイミング信号（Ｅｔ１，Ｅｔ２，…）は前記光源駆動グループ（Ｕ１，Ｕ２，…）の全てに対して共通の信号が送信され、さらに前記光源駆動グループ（Ｕ１，Ｕ２，…）のうちの特定の１個に対する前記オン遷移に同期したシーケンス初期化信号（Ｓｉ）が前記光源駆動回路（Ｐ１ａ，Ｐ１ｂ，…，Ｐ２ａ，…）の全てに対し共通に送信されることを特徴とするものである。
【００１９】
本発明における第５の発明の光源駆動装置は、前記目標電力情報（Ｅｚ１，Ｅｚ２，…）は、前記オン遷移タイミング信号（Ｅｔ１，Ｅｔ２，…）のパルス幅として前記オン遷移タイミング信号（Ｅｔ１，Ｅｔ２，…）に乗せられることを特徴とするものである。
【００２０】
本発明における第６の発明の光源駆動装置は、前記目標電力情報（Ｅｚ１，Ｅｚ２，…）は、前記オン遷移タイミング信号（Ｅｔ１，Ｅｔ２，…）の振幅として前記オン遷移タイミング信号（Ｅｔ１，Ｅｔ２，…）に乗せられることを特徴とするものである。
【００２１】
本発明における第７の発明の光源駆動装置は、さらに目標電力規定信号（Ｓａ）が前記光源駆動回路（Ｐ１ａ，Ｐ１ｂ，…，Ｐ２ａ，…）の全てに対し共通に送信され、前記目標電力情報（Ｅｚ１，Ｅｚ２，…）は、前記オン遷移タイミング信号（Ｅｔ１，Ｅｔ２，…）のオン遷移タイミングにおける振幅として前記目標電力規定信号（Ｓａ）に乗せられることを特徴とするものである。
【００２２】
本発明における第８の発明の光源駆動装置は、前記統合制御回路（Ｆｘ）は、さらに前記光源駆動グループ（Ｕ１，Ｕ２，…）それぞれに対する出力電力の目標値の設定パターンについての複数の設定パターンデータ（Ｓｒ）を記憶する電力設定パターンデータ記憶部（Ｕｍ）と、外部装置（Ｕｏ）と通信を行うための外部インターフェイス（Ｕｔ）と、を有し、前記統合制御回路（Ｆｘ）は、前記外部インターフェイス（Ｕｔ）を介して電力設定パターン選択信号（Ｓｇ）を受信すると、該電力設定パターン選択信号（Ｓｇ）に基づき前記電力設定パターンデータ記憶部（Ｕｍ）より前記設定パターンデータ（Ｓｒ）のうちの１個を読出し、読出された前記設定パターンデータ（Ｓｒ）に基づいて、前記光源駆動グループ（Ｕ１，Ｕ２，…）それぞれに対する前記オン遷移タイミング信号（Ｅｔ１，Ｅｔ２，…）の生成と前記目標電力情報（Ｅｚ１，Ｅｚ２，…）の生成とを行うことを特徴とするものである。
【００２３】
本発明における第９の発明の光源駆動装置は、前記光源素子（Ｙ１ａ，Ｙ１ｂ，…，Ｙ２ａ，…）とそれを駆動する前記光源駆動回路（Ｐ１ａ，Ｐ１ｂ，…，Ｐ２ａ，…）からなる組の何れかの故障を検知した場合、前記統合制御回路（Ｆｘ）は、故障を検知した前記組の前記光源駆動回路（Ｐ１ａ，Ｐ１ｂ，…，Ｐ２ａ，…）の動作を停止させるとともに、故障による光量の低下を補うために前記光源駆動回路（Ｐ１ａ，Ｐ１ｂ，…，Ｐ２ａ，…）それぞれに対する出力電力の目標値の設定パターンを変更することを特徴とするものである。
【発明の効果】
【００２４】
複数個の光源駆動回路を統合的に制御して、前記光源駆動回路それぞれに対して独立に目標出力電力を設定し、それがフードバック制御によって達成されるようにした光源駆動装置を提供することができる。
【図面の簡単な説明】
【００２５】
【図１】本発明の光源駆動装置を簡略化して示すブロック図を表す。
【図２】本発明の光源駆動装置の一部を簡略化して示す模式図を表す。
【図３】本発明の光源駆動装置の一部の動作を簡略化して示す概念図を表す。
【図４】本発明の光源駆動装置の一部を簡略化して示す模式図を表す。
【図５】本発明の光源駆動装置の一部の動作を簡略化して示す概念図を表す。
【図６】本発明の光源駆動装置の一部の動作を簡略化して示す概念図を表す。
【図７】本発明の光源駆動装置を簡略化して示すブロック図を表す。
【図８】本発明の光源駆動装置の一部の動作を簡略化して示す概念図を表す。
【図９】本発明の光源駆動装置の一部を簡略化して示す模式図を表す。
【図１０】本発明の光源駆動装置の一部の動作を簡略化して示す概念図を表す。
【図１１】本発明の光源駆動装置の一部の動作を簡略化して示す概念図を表す。
【図１２】本発明の光源駆動装置を簡略化して示すブロック図を表す。
【図１３】本発明の光源駆動装置の一部の動作を簡略化して示す概念図を表す。
【図１４】本発明の光源駆動装置を簡略化して示すブロック図を表す。
【図１５】本発明の光源駆動装置の一部を簡略化して示す模式図および概念図を表す。
【図１６】本発明の光源駆動装置の一部を簡略化して示す概念図を表す。
【図１７】従来の光源駆動装置の一種を簡略化して示すブロック図を表す。
【図１８】従来の光源駆動装置の一種の一部の動作を簡略化して示す概念図を表す。
【図１９】従来よりも改善された光源駆動装置の一種を簡略化して示すブロック図を表す。
【発明を実施するための形態】
【００２６】
先ず、本発明の光源駆動装置を簡略化して示すブロック図である図１を用いて本発明を実施するための形態について説明する。本発明の光源駆動装置は、ＬＥＤ等からなる、複数の光源素子（Ｙ１ａ，Ｙ１ｂ，Ｙ２ａ，…）それぞれに対応して、独立に駆動するための光源駆動回路（Ｐ１ａ，Ｐ１ｂ，Ｐ２ａ，…）を備えている。ここでは、前記光源素子（Ｙ１ａ，Ｙ１ｂ，Ｙ２ａ，…）それぞれが、ＬＤやＬＥＤ等の発光素子の複数個の直列接続であるものを例として挙げたが、当然、１個単独、または複数個の並列接続、複数個の並列接続の複数個の直列接続などであっても構わない。
【００２７】
前記光源駆動回路（Ｐ１ａ，Ｐ１ｂ，Ｐ２ａ，…）は、それぞれ光源駆動グループ（Ｕ１，Ｕ２，…）に所属しており、図においては、前記光源駆動グループ（Ｕ１）には２個の前記光源駆動回路（Ｐ１ａ，Ｐ１ｂ）を、前記光源駆動グループ（Ｕ２）には１個の前記光源駆動回路（Ｐ２ａ）を配置する例を示している。前記光源駆動回路（Ｐ１ａ，Ｐ１ｂ，Ｐ２ａ，…）は、それぞれコンバータ（Ｕｘ１ａ，Ｕｘ１ｂ，Ｕｘ２ａ，…）を備えており、光源素子（Ｙ１ａ，Ｙ１ｂ，Ｙ２ａ，…）に電流を供給する。
【００２８】
後述する図２に示すように、前記コンバータ（Ｕｘ１ａ，Ｕｘ１ｂ，Ｕｘ２ａ，…）は、それぞれスイッチ素子（Ｑ１ａ，…）を備えており、そのスイッチング動作によって、直流電源（Ｍｘ）からの電流を前記光源素子（Ｙ１ａ，Ｙ１ｂ，Ｙ２ａ，…）に供給することができる。また前記コンバータ（Ｕｘ１ａ，Ｕｘ１ｂ，Ｕｘ２ａ，…）の前記スイッチ素子（Ｑ１ａ，…）は、スイッチゲート駆動回路（Ｕｖ１ａ，…）により駆動され、また前記スイッチゲート駆動回路（Ｕｖ１ａ，…）は、前記スイッチ素子（Ｑ１ａ，…）それぞれに対応するスイッチタイミング信号（Ｅｃ１，Ｅｃ２，…）と、前記光源素子（Ｙ１ａ，Ｙ１ｂ，Ｙ２ａ，…）それぞれに対応する目標電力信号（Ｓｓ１，Ｓｓ２，…）とを、タイミング信号受信回路（Ｕｗ１ａ，Ｕｗ１ｂ，Ｕｗ２ａ，…）から供給される。
【００２９】
前記タイミング信号受信回路（Ｕｗ１ａ，Ｕｗ１ｂ，Ｕｗ２ａ，…）それぞれは、統合制御回路（Ｆｘ）から、１個のオン遷移タイミング信号（Ｅｔ１，Ｅｔ２，…）を受信することにより、前記スイッチタイミング信号（Ｅｃ１，Ｅｃ２，…）と、目標電力情報たる前記目標電力信号（Ｓｓ１，Ｓｓ２，…）との２個の信号を生成する。すなわち、前記オン遷移タイミング信号（Ｅｔ１，Ｅｔ２，…）は、前記スイッチ素子（Ｑ１ａ，…）のオン遷移のタイミングを規定する機能に加え、前記コンバータ（Ｕｘ１ａ，Ｕｘ１ｂ，Ｕｘ２ａ，…）におけるフィードバック制御の目標を規定する機能の２つの機能を担っている。
【００３０】
言い換えれば、前記統合制御回路（Ｆｘ）は、オン遷移のタイミングを規定するタイミング信号に乗せて、あるいは関連付けて、目標電力情報（Ｅｚ１，Ｅｚ２，…）が前記タイミング信号受信回路（Ｕｗ１ａ，Ｕｗ１ｂ，Ｕｗ２ａ，…）に届くよう、前記オン遷移タイミング信号（Ｅｔ１，Ｅｔ２，…）を生成する。その意味で、前記目標電力情報（Ｅｚ１，Ｅｚ２，…）は独立した信号とは言い難く、よって図においては破線で記載してある。ただし、前記目標電力情報（Ｅｚ１，Ｅｚ２，…）の送り方には、後述するように複数の形態がある。
【００３１】
このようにして、前記目標電力情報（Ｅｚ１，Ｅｚ２，…）を送るようにすることにより、前記光源駆動グループ（Ｕ１，Ｕ２，…）毎に前記目標電力信号（Ｓｓ１，Ｓｓ２，…）を送る場合に比べて、信号線の本数を減らすことができるため、特に前記光源駆動グループ（Ｕ１，Ｕ２，…）の個数が大きい場合に、回路リソースの低減に効果を発揮する。なお、前記統合制御回路（Ｆｘ）は、いま述べたような高度な機能を実現する必要があるため、マイクロプロセッサなどを用いて構成することが好適である。
【００３２】
本光源駆動装置の、前記光源駆動回路（Ｐ１ａ，Ｐ１ｂ，…，Ｐ２ａ，…）は、前記光源駆動グループ（Ｕ１，Ｕ２，…）でグルーピングされており、前記統合制御回路（Ｆｘ）は、前記光源駆動グループ（Ｕ１，Ｕ２，…）のそれぞれに対応した前記オン遷移タイミング信号（Ｅｔ１，Ｅｔ２，…）を送出する。１個の前記光源駆動グループ（Ｕ１）に複数の前記光源駆動回路（Ｐ１ａ，Ｐ１ｂ）を配置する場合もあれば、また１個の前記光源駆動グループ（Ｕ２）に１個の前記光源駆動回路（Ｐ２ａ）を配置する場合があってもよく、配置形態のパターンは、各設計事案に応じて自由に設定できる。
【００３３】
ただし、前記光源駆動グループの何れの２個をとっても、それらのオン遷移が同時になることがないように前記オン遷移タイミング信号（Ｅｔ１，Ｅｔ２，…）を送出することが重要である。このようにすることにより、前記した、電力制御の擾乱がビート的に発生する現象を抑制することができる。前記したように、特に、近年多用されるようになったカレントモードに基づくフィードバック制御方式の場合、回路に流れるピーク電流を検出して動作させるが、損失増大や特性劣化を避けるために、電流検出抵抗は小さい値のものを使う必要があり、そのため、電流検出信号は微弱にならざるを得ず、特に複数のスイッチングコンバータを並列動作させた場合は、スイッチングノイズの相互干渉を受けて、電流波形の擾乱を生じ易い欠点を有しているが、本発明の技術は、このような条件において適用することが好適である。
【００３４】
なお、図１においては、前記光源駆動グループ（Ｕ１）の前記光源駆動回路（Ｐ１ａ，Ｐ１ｂ）それぞれに対して前記タイミング信号受信回路（Ｕｗ１ａ，Ｕｗ１ｂ）を設けるものを例示してあるが、これらは、同じ前記オン遷移タイミング信号（Ｅｔ１）と前記目標電力情報（Ｅｚ１）を受けて、同じ前記スイッチタイミング信号（Ｅｃ１）と前記目標電力信号（Ｓｓ１）を生成するため、共通の１個のもので処理させるようにすることにより、部品点数を削減することが可能である。逆に、図１の構成のように、前記光源駆動回路（Ｐ１ａ，Ｐ１ｂ，Ｐ２ａ，…）それぞれに前記タイミング信号受信回路（Ｕｗ１ａ，Ｕｗ１ｂ，Ｕｗ２ａ，…）を設ける場合は、もし前記光源素子（Ｙ１ａ，Ｙ１ｂ，Ｙ２ａ，…）の仕様が全て同じであれば、前記光源駆動回路（Ｐ１ａ，Ｐ１ｂ，Ｐ２ａ，…）は全て同一仕様のモジュール（差異は実装オプションにより対応）を並べることで実現することができる利点がある。
【００３５】
また、図１においては前記直流電源（Ｍｘ）の図示は省略してあるが、前記直流電源（Ｍｘ）は、前記光源駆動回路（Ｐ１ａ，Ｐ１ｂ，Ｐ２ａ，…）毎に配置しても良いし、前記光源駆動グループ（Ｕ１，Ｕ２，…）毎に配置しても良く、また、前記光源駆動グループ（Ｕ１，Ｕ２，…）の全てに対し、一括して単独のものを配置しても良い。
【００３６】
次に、本発明の光源駆動装置の一部を簡略化して示す模式図である図２を用いて前記コンバータ（Ｕｘ１ａ）の構成について説明する。前記コンバータ（Ｕｘ１ａ）は、昇圧チョッパ方式のスイッチングコンバータ回路によって実現され、前記直流電源（Ｍｘ）を電源として、前記光源素子（Ｙ１ａ）の状態あるいは点灯シーケンスに応じて、適合する電圧・電流を出力する。
【００３７】
スイッチングコンバータ回路は、インダクタ（Ｌｘ）と前記スイッチ素子（Ｑ１ａ）、平滑コンデンサ（Ｃｘ）、およびスイッチゲート駆動回路（Ｕｖ１ａ）から構成される。なお、スイッチングコンバータ回路として、ここで示した昇圧チョッパ方式のもの以外にも、前記直流電源（Ｍｘ）の出力電圧と前記光源素子（Ｙ１ａ）への印加電圧との大小関係などの諸条件に応じて、例えば降圧チョッパ方式や反転チョッパ方式など、最適の方式の回路を採用すればよい。
【００３８】
前記コンバータ（Ｕｘ１ａ）は、フィードバック制御のために電力検出手段（Ｐｘ１，…）を備えており、前記光源素子（Ｙ１ａ）に流れる電流を、シャント抵抗（Ｒ３）の両端の電位差によって検出し、これを前記コンバータ（Ｕｘ１ａ）による前記光源素子（Ｙ１ａ）への投入電力に相関する電力相関信号（Ｓｐ１）として前記スイッチゲート駆動回路（Ｕｖ１ａ）に送出する。ただし、図においては、前記電力相関信号（Ｓｐ１）は、前記シャント抵抗（Ｒ３）の両端の電位である抵抗両端電位信号（Ｓｉｐ，Ｓｉｎ）により代用し、電位差の算出は、前記スイッチゲート駆動回路（Ｕｖ１ａ）内のアナログ演算で実現するものとしている。また必要に応じ、前記光源素子（Ｙ１ａ）に印加される電圧を分圧抵抗（Ｒ１，Ｒ２）によって検出して光源素子印加電圧信号（Ｓｖ）を生成し、前記スイッチゲート駆動回路（Ｕｖ１ａ）に送出する。
【００３９】
なお、電力相関信号として前記光源素子（Ｙ１ａ）に流れる電流を採用する理由は、特に前記光源素子（Ｙ１ａ）がＬＥＤやＬＤ等のダイオード素子の場合、光源素子に流す電流を変化させても、その両端に発生する電圧の変化は小さく、これを近似的に一定と見れば、電力値は流れる電流値に近似的に比例するし、一定と見なせない場合でも、正確な比例ではないが、電力値が電流値に強く相関するからである。前記光源素子（Ｙ１ａ）の電流に対する発生電圧の特性のバラツキを含め、正確な投入電力値によって制御を行いたい場合は、前記光源素子印加電圧信号（Ｓｖ）と前記抵抗両端電位信号（Ｓｉｐ，Ｓｉｎ）に基づく電流値との積によって電力相関信号（Ｓｐ１）を生成すればよい。
【００４０】
前記スイッチゲート駆動回路（Ｕｖ１ａ）においては、前記電力相関信号（Ｓｐ１）と目標電力信号（Ｓｓ１）との差異が小さくなるようにフィードバック制御を行う。具体的には、前記スイッチ素子（Ｑ１ａ）のオン状態のデューティサイクル比を制御して前記光源素子（Ｙ１ａ）に所望の目標電力が投入されるように出力電流を制御する。
【００４１】
前記スイッチゲート駆動回路（Ｕｖ１ａ）は、前記スイッチ素子（Ｑ１ａ）のオンタイミングを規定した前記オン遷移タイミング信号（Ｅｔ１）を受信する度に、これに同期して前記スイッチ素子（Ｑ１ａ）をオン遷移させ、ある時間長さを有するオン期間（τ１）の後に前記スイッチ素子（Ｑ１ａ）をオフ遷移させることを繰り返す。そして、前記電力相関信号（Ｓｐ１）と目標電力信号（Ｓｓ１）との差異が小さくなるように前記オン期間（τ１）の長さに対してフィードバック制御を行う。なお、後述するようにカレントモードによるフィードバック制御に必要な、前記スイッチ素子（Ｑ１ａ）に流れる電流値に相関するスイッチ電流検出信号（Ｓｉｑ）を生成するために、シャント抵抗（Ｒ４）を設けてある。
【００４２】
さらに、本発明の光源駆動装置の一部の動作を簡略化して示す概念図である図３を用いて前記コンバータ（Ｕｘ１ａ）の動作について説明する。図３のａは前記スイッチ素子（Ｑ１ａ）に流れる電流波形、ｂは前記スイッチ素子（Ｑ１ａ）を駆動するためのゲート信号（Ｓｑ）、ｃは前記インダクタ（Ｌｘ）に流れる電流波形を模式的に示す。
【００４３】
前記コンバータ（Ｕｘ１ａ）では、前記スイッチゲート駆動回路（Ｕｖ１ａ）からの前記スイッチ素子（Ｑ１ａ）を駆動するための前記ゲート信号（Ｓｑ）を受けて、前記スイッチ素子（Ｑ１ａ）をオン遷移させる。すると、前記スイッチ素子（Ｑ１ａ）は、前記インダクタ（Ｌｘ）を介して電流が増加するように流れ、前記インダクタ（Ｌｘ）に磁気エネルギーが蓄えられる。その後、前記スイッチ素子（Ｑ１ａ）がオフ遷移すると、蓄えられた磁気エネルギーを解放しながら前記インダクタ（Ｌｘ）から減少するように電流が流れ続け、この電流は、平滑コンデンサ（Ｃｘ）を充電する。
【００４４】
図に記載した波形は連続モードと呼ばれる動作様式のものであり、その場合は前記コンバータ（Ｕｘ１ａ）の出力電圧は、前記スイッチ素子（Ｑ１ａ）のデューティサイクル比により決定される。すなわち、出力電圧は、前記スイッチ素子（Ｑ１ａ）のオン期間（τ１）およびオフ期間（τ２）に対し、(τ１＋τ２)／τ２  と入力電源電圧との積で決まるから、スイッチング周期  τ１＋τ２  が一定であれば、オン期間（τ１）またはオフ期間（τ２）を調整することにより、前記光源素子（Ｙ１ａ）への投入電力が調整可能であることが判る。そして前記したように、前記電力相関信号（Ｓｐ１）と目標電力信号（Ｓｓ１）との差異が小さくなるように前記オン期間（τ１）の長さに対してフィードバック制御することができる。
【００４５】
次に、本発明の光源駆動装置の一部を簡略化して示す模式図である図４を用いて前記スイッチゲート駆動回路（Ｕｖ１ａ）の構成について説明する。本図は、カレントモードでの代表的なスイッチングＬＥＤコントローラＩＣ（例えば、Ｌｉｎｅａｒ  Ｔｅｃｈｎｏｌｏｇｙ  Ｃｏｒｐｏｒａｔｉｏｎ製のＬＴ３７５５など）の簡略化した構成を示しており、前記スイッチ素子（Ｑ１ａ）を制御する前記ゲート信号（Ｓｑ）の出力端子、および前記スイッチタイミング信号（Ｅｃ１）の入力端子、前記スイッチ素子（Ｑ１ａ）に流れる電流を検出する前記スイッチ電流検出信号（Ｓｉｑ）の入力端子、前記電力相関信号（Ｓｐ１）たる前記抵抗両端電位信号（Ｓｉｐ，Ｓｉｎ）の入力端子、そして前記目標電力信号（Ｓｓ１）の入力端子を備える。
【００４６】
前記スイッチ素子（Ｑ１ａ）はゲート回路（Ｇｇ）を介してフリップフロップ（ＦＦ）の動作により制御される。モノステーブルマルチバイブレータ（ＭＭ）は、前記スイッチタイミング信号（Ｅｃ１）を受信する度毎に短い一定の期間だけアクティブな初期化信号（Ｓｆｓ）を生成する。前記フリップフロップ（ＦＦ）のセット端子に前記初期化信号（Ｓｆｓ）が接続されているため、前記フリップフロップ（ＦＦ）の出力は、前記スイッチタイミング信号（Ｅｃ１）を受信する度毎にオン遷移する。オン遷移した前記フリップフロップ（ＦＦ）は、そのリセット端子においてオフ遷移タイミング回路（Ｕｆ１）で生成される電流超過信号（Ｓｆｒ）を受信するとオフ遷移する。
【００４７】
ところで、前記スイッチ電流検出信号（Ｓｉｑ）は、図３のａと相似の波形を有するが、これは、増幅器（Ａｍｐ１）によって必要な振幅に増幅された後、前記オフ遷移タイミング回路（Ｕｆ１）に入力される。前記オフ遷移タイミング回路（Ｕｆ１）内では、傾斜補正信号生成回路（Ｒａｍｐ）が、前記初期化信号（Ｓｆｓ）を受けて、前記スイッチ電流検出信号（Ｓｉｑ）と似た波形を有する傾斜補正信号を生成し、これを前記した前記スイッチ電流検出信号（Ｓｉｑ）の増幅された信号に対し、加算器（Σ）によって加算して電流ピーク信号（Ｓｔ）を生成し、これと誤差変換回路（Ｕｈ１）からの誤差変換信号（Ｓｉｒ）とを、比較器（Ｃｍｐ）によって比較し、前記電流ピーク信号（Ｓｔ）が前記誤差変換信号（Ｓｉｒ）を超えた時点で前記電流超過信号（Ｓｆｒ）を送出する。
【００４８】
前記誤差変換回路（Ｕｈ１）では、前記電力相関信号（Ｓｐ１）たる前記抵抗両端電位信号（Ｓｉｐ，Ｓｉｎ）が差動増幅器（Ａｍｐ２）によって電位差信号、すなわち光源電流信号（Ｓｊ）に変換され、前記誤差変換回路（Ｕｈ１）に入力される。前記誤差変換回路（Ｕｈ１）には、さらに前記目標電力信号（Ｓｓ１）が入力され、これと前記光源電流信号（Ｓｊ）との大小関係に依存した前記誤差変換信号（Ｓｉｒ）を生成する。もし、前記光源電流信号（Ｓｊ）が前記目標電力信号（Ｓｓ１）より小さい場合、即ち光源の電力が目標より不足する場合は、前記誤差変換信号（Ｓｉｒ）を大きくするように動作し、逆に前記光源電流信号（Ｓｊ）が前記目標電力信号（Ｓｓ１）より大きい場合、即ち光源の電力が目標より超過する場合は、前記誤差変換信号（Ｓｉｒ）を小さくするように動作する。
【００４９】
その結果、前記スイッチ素子（Ｑ１ａ）のオフ遷移は、光源の電力が目標より不足する場合は遅くなり、逆に光源の電力が目標より超過する場合は早くなるように動作するため、結局、前記電力相関信号（Ｓｐ１）と目標電力信号（Ｓｓ１）との差異が小さくなるようにフィードバック制御が達成される。
【００５０】
次に、本発明の光源駆動装置の一部の動作を簡略化して示す概念図である図５を用いて本発明を実施するための形態について説明する。ここでは、一例として、光源駆動装置が３個の光源駆動グループ（Ｕ１，Ｕ２，Ｕ３）で構成されるものとする。図５のａは前記光源駆動グループ（Ｕ１）に対するオン遷移タイミング信号（Ｅｔ１）、ｂは前記光源駆動グループ（Ｕ２）に対するオン遷移タイミング信号（Ｅｔ２）、ｃは前記光源駆動グループ（Ｕ３）に対するオン遷移タイミング信号（Ｅｔ３）それぞれの波形を模式的示す。
【００５１】
この場合、前記統合制御回路（Ｆｘ）は、３個の光源駆動グループ（Ｕ１，Ｕ２，Ｕ３）それぞれに対して、矩形波の３相のオン遷移タイミング信号（Ｅｔ１，Ｅｔ２，Ｅｔ３）を送信する。前記光源駆動グループ（Ｕ１，Ｕ２，Ｕ３）それぞれは、受信した前記オン遷移タイミング信号（Ｅｔ１，Ｅｔ２，Ｅｔ３）の立ち上りにて、自身に属するスイッチ素子（Ｑ１ａ，…）をオン遷移させる。このとき、前記統合制御回路（Ｆｘ）は、前記光源駆動グループ（Ｕ１）のオン遷移から前記光源駆動グループ（Ｕ２）のオン遷移までの期間（ｔ１）、前記光源駆動グループ（Ｕ２）のオン遷移から前記光源駆動グループ（Ｕ３）のオン遷移までの期間（ｔ２）、前記光源駆動グループ（Ｕ３）のオン遷移から前記光源駆動グループ（Ｕ１）のオン遷移までの期間（ｔ３）について、ｔ１＝ｔ２＝ｔ３  の関係が概ね成り立つように前記オン遷移タイミング信号（Ｅｔ１，Ｅｔ２，Ｅｔ３）を生成することが好適である。
【００５２】
このようにすると、前記直流電源（Ｍｘ）を、前記光源駆動グループ（Ｕ１，Ｕ２，…）の全てに対し、一括して単独のものを配置する場合においても、前記光源駆動回路（Ｐ１ａ，Ｐ２ａ，…）が発生させる、前記直流電源（Ｍｘ）の出力におけるリプル変動を均等にでき、前記直流電源（Ｍｘ）の出力部に設置する平滑コンデンサの負担を軽減できるし、コンバータ（Ｕｘ１ａ，Ｕｘ２ａ，…）の入力部に大きな平滑コンデンサを設ける必要もない。
【００５３】
当然ながら、前記光源駆動グループの何れの２個をとっても、それらのオン遷移が同時になることがないため、前記した、電力制御の擾乱がビート的に発生する現象を抑制することができる。この様子については、本発明の光源駆動装置の一部の動作を簡略化して示す概念図である図６に示すようである。これは、図５に示した前記オン遷移タイミング信号（Ｅｔ１，Ｅｔ２，Ｅｔ３）に基づき動作する本発明の光源駆動装置による光源素子の電流波形を表している。図６のａは光源素子（Ｙ１ａ）の電流波形、ｂは光源素子（Ｙ２ａ）の電流波形、ｃは光源素子（Ｙ３ａ）の電流波形であり、前記した従来技術に基づく光源駆動装置による光源素子の電流波形を表した図１８と同様に本来のスイッチング動作に起因する正常な変動成分（細かなリプル等）を除去して描いたものであり、両図を比較すれば判るように、前記した擾乱の抑制効果が見られた。
【００５４】
次に、本発明の光源駆動装置を簡略化して示すブロック図である図７を用いて本発明を実施するための形態について説明する。本形態の光源駆動装置では、統合制御回路（Ｆｘ）は、光源駆動グループ（Ｕ１，Ｕ２，…）の全てに対し、共通のオン遷移タイミング信号（Ｅｔ）を供給する。ただし、前記オン遷移タイミング信号（Ｅｔ）に加えて、同じく光源駆動グループ（Ｕ１，Ｕ２，…）の全てに対し、共通のシーケンス初期化信号（Ｓｉ）を供給する。
【００５５】
さらに、本発明の光源駆動装置の一部の動作を簡略化して示す概念図である図８を用いて本形態について説明する。ここでは、一例として、光源駆動装置が３個の光源駆動グループ（Ｕ１，Ｕ２，Ｕ３）で構成されるものとする。図８のａは前記統合制御回路（Ｆｘ）からの前記オン遷移タイミング信号（Ｅｔ）、ｂは前記統合制御回路（Ｆｘ）からの前記シーケンス初期化信号（Ｓｉ）、ｃは前記光源駆動グループ（Ｕ１）におけるスイッチタイミング信号（Ｅｃ１）、ｄは前記光源駆動グループ（Ｕ２）におけるスイッチタイミング信号（Ｅｃ２）、ｅは前記光源駆動グループ（Ｕ３）におけるスイッチタイミング信号（Ｅｃ３）の波形を示す。
【００５６】
前記光源駆動グループ（Ｕ１，Ｕ２，…）それぞれのタイミング信号受信回路（Ｕｗ１ａ，Ｕｗ２ａ，…）は、オン遷移タイミング信号（Ｅｔ）に含まれるパルスのうち、自身に割り当てられたものが何れであるかを判別できるようにする必要がある。そのために、前記統合制御回路（Ｆｘ）は、特定の光源駆動グループに対するパルスに先立って前記シーケンス初期化信号（Ｓｉ）を送出することとし、前記タイミング信号受信回路（Ｕｗ１ａ，Ｕｗ２ａ，…）のそれぞれは、前記オン遷移タイミング信号（Ｅｔ）の立ち上り信号をカウントするカウンタを具備しており、該カウンタは、前記シーケンス初期化信号（Ｓｉ）を受信するとリセットされる。
【００５７】
このように構成することにより、前記シーケンス初期化信号（Ｓｉ）の受信を起点として、前記光源駆動グループ（Ｕ１）の統合信号解析部は１回目のパルスを自身に対するものと認識し、前記光源駆動グループ（Ｕ２）の統合信号解析部は２回目のパルスを自身に対するものと認識し、前記光源駆動グループ（Ｕ３）の統合信号解析部は３回目のパルスを自身に対するものと認識することにより、前記統合制御回路（Ｆｘ）から前記光源駆動グループ（Ｕ１，Ｕ２，Ｕ３）それぞれに対して送達すべきパルスが混乱無く受信される。このようにして、前記タイミング情報を送るようにすることにより、前記光源駆動グループ（Ｕ１，Ｕ２，…）毎に前記オン遷移タイミング信号（Ｅｔ１，Ｅｔ２，…）を送る場合に比べて、信号線の本数を減らすことができるため、特に前記光源駆動グループ（Ｕ１，Ｕ２，…）の個数が大きい場合に、回路リソースの低減に効果を発揮する。
【００５８】
次に、本発明の光源駆動装置の一部を簡略化して示す模式図である図９を用いて本発明を実施するための形態について説明する。本図は、先に図１に関して説明した前記タイミング信号受信回路（Ｕｗ１ａ，Ｕｗ１ｂ，Ｕｗ２ａ，…）のうちの１個の構成を示すものである。
【００５９】
タイミング信号受信回路（Ｕｗ１ａ）は、前記統合制御回路（Ｆｘ）から送信された矩形波パルスの前記オン遷移タイミング信号（Ｅｔ１）を、バッファ（Ｂ１）で受信して、機能的には同一の信号であるスイッチタイミング信号（Ｅｃ１）に変換するとともに、抵抗（Ｒ２０，Ｒ２１）とコンデンサ（Ｃ２０）とから構成されるローパスフィルタ回路により、実質的にＤＣのアナログ電圧に変換し、バッファ（Ａｍｐ４）を介して、目標電力信号（Ｓｓ１）を生成する。前記スイッチタイミング信号（Ｅｃ１）は、前記したように、前記スイッチ素子（Ｑ１ａ）のオン遷移のタイミングを規定するために使用する。
【００６０】
図９の前記タイミング信号受信回路（Ｕｗ１ａ）における、本発明の光源駆動装置の一部の動作を簡略化して示す概念図である図１０を用いて本発明を実施するための形態について説明する。図１０のａは目標電力信号（Ｓｓ１）が大きく設定された時のオン遷移タイミング信号（Ｅｔ１）、ｂは目標電力信号（Ｓｓ１）が小さく設定された時のオン遷移タイミング信号（Ｅｔ１）、ｃは目標電力信号（Ｓｓ１）がさらに小さく設定された時のオン遷移タイミング信号（Ｅｔ１）を示す。
【００６１】
前記統合制御回路（Ｆｘ）は、前記光源駆動グループ（Ｕ１）の出力電力を大きくする場合、即ち、目標電力信号（Ｓｓ１）を大きく設定する場合は、図１０のａのように前記オン遷移タイミング信号（Ｅｔ１）のデューティサイクル比を大きく、逆に、前記目標電力信号（Ｓｓ１）を小さく設定する場合は、図１０のｃのように前記オン遷移タイミング信号（Ｅｔ１）のデューティサイクル比を小さくするよう、いわゆるＰＷＭ変調によって目標電力情報を伝送する手法を用いている。図９の前記タイミング信号受信回路（Ｕｗ１ａ）においては、前記ローパスフィルタの働きにより、前記オン遷移タイミング信号（Ｅｔ１）のデューティサイクル比が大きくなれば、目標電力信号（Ｓｓ１）の電圧は増加する。なお、図１０の前記オン遷移タイミング信号（Ｅｔ１）の形態の場合は、図９の前記バッファ（Ｂ１）は、バッファ（Ｂ１’）の位置に移すことができる。
【００６２】
図９の前記タイミング信号受信回路（Ｕｗ１ａ）における、さらなる本発明の光源駆動装置の一部の動作を簡略化して示す概念図である図１１を用いて本発明を実施するための形態について説明する。図１１のａは目標電力信号（Ｓｓ１）が大きく設定された時のオン遷移タイミング信号（Ｅｔ１）、ｂは目標電力信号（Ｓｓ１）が小さく設定された時のオン遷移タイミング信号（Ｅｔ１）、ｃは目標電力信号（Ｓｓ１）がさらに小さく設定された時のオン遷移タイミング信号（Ｅｔ１）を示す。
【００６３】
前記統合制御回路（Ｆｘ）は、前記光源駆動グループ（Ｕ１）の出力電力を大きくする場合、即ち、目標電力信号（Ｓｓ１）を大きく設定する場合は、図１１のａのように前記オン遷移タイミング信号（Ｅｔ１）の電圧振幅を大きく、逆に、前記目標電力信号（Ｓｓ１）を小さく設定する場合は、図１１のｃのように前記オン遷移タイミング信号（Ｅｔ１）の電圧振幅を小さくするよう、いわゆる振幅変調によって目標電力情報を伝送する手法を用いている。図９の前記タイミング信号受信回路（Ｕｗ１ａ）においては、前記ローパスフィルタの働きにより、前記オン遷移タイミング信号（Ｅｔ１）の電圧振幅が大きくなれば、目標電力信号（Ｓｓ１）の電圧は増加する。
【００６４】
次に、本発明の光源駆動装置を簡略化して示すブロック図である図１２を用いて本発明を実施するための形態について説明する。本形態の光源駆動装置では、統合制御回路（Ｆｘ）は、光源駆動グループ（Ｕ１，Ｕ２，…）の全てに対し、共通の目標電力規定信号（Ｓａ）を供給する。
【００６５】
さらに、本発明の光源駆動装置の一部の動作を簡略化して示す概念図である図１３を用いて本形態について説明する。図１３のａは光源駆動グループ（Ｕ１）におけるオン遷移タイミング信号（Ｅｔ１）、ｂは光源駆動グループ（Ｕ２）におけるオン遷移タイミング信号（Ｅｔ２）、ｃは光源駆動グループ（Ｕ３）におけるオン遷移タイミング信号（Ｅｔ３）、ｄは目標電力規定信号（Ｓａ）の波形を示す。
【００６６】
前記光源駆動グループ（Ｕ１，Ｕ２，Ｕ３）それぞれのタイミング信号受信回路（Ｕｗ１ａ，Ｕｗ２ａ，…）は、自身の目標電力信号（Ｓｓ１，Ｓｓ２，…）を取得するために、自身の前記オン遷移タイミング信号（Ｅｔ１，Ｅｔ２，Ｅｔ３）に基づくオン遷移のタイミングに同期して、前記目標電力規定信号（Ｓａ）を読み取り、その電圧値を保持する。例えば、前記オン遷移タイミング信号（Ｅｔ１）の立ち上がりタイミングで前記目標電力規定信号（Ｓａ）の電圧値（Ｖ１）を読み込み、目標電力信号（Ｓｓ１）として保持すればよく、同様に、前記オン遷移タイミング信号（Ｅｔ１）の立ち上がりタイミングで前記目標電力規定信号（Ｓａ）の電圧値（Ｖ２）を読み込み、目標電力信号（Ｓｓ２）として保持し、前記オン遷移タイミング信号（Ｅｔ１）の立ち上がりタイミングで前記目標電力規定信号（Ｓａ）の電圧値（Ｖ３）を読み込み、目標電力信号（Ｓｓ３）として保持する。
【００６７】
ここで述べた、アナログの前記目標電力規定信号（Ｓａ）の電圧値の読み込みと保持のためには、サンプル・ホールド回路（またはトラック・ホールド回路）を用いて構成することが可能であるし、ＡＤ変換器によってディジタル数値に変換し、メモリに保持するように構成してもよい。なお、当然ながら本形態は、先に図７に関して説明した形態と組み合わせることが可能である。
【００６８】
次に、本発明の光源駆動装置を簡略化して示すブロック図である図１４を用いて本発明を実施するための形態について説明する。統合制御回路（Ｆｘ）は、光源駆動グループ（Ｕ１，Ｕ２，…）それぞれに対するオン遷移タイミング信号（Ｅｔ１，Ｅｔ２，…）および目標電力情報（Ｅｚ１，Ｅｚ２，…）を出力するマイクロプロセッサ（ＭＰＵ）を備え、前記光源駆動グループ（Ｕ１，Ｕ２，…）それぞれに対する出力電力の目標値の設定パターンについての、複数の設定パターンデータ（Ｓｒ）を保存する電力設定パターンデータ記憶部（Ｕｍ）を備える。前記電力設定パターンデータ記憶部（Ｕｍ）は前記設定パターンデータ（Ｓｒ）を記憶しており、前記マイクロプロセッサ（ＭＰＵ）は、適合したパターンを選択してデータを読み出すことができる。選択するパターンは外部装置（Ｕｏ）から選択できるようにするために、例えば、シリアル通信を行うための外部インターフェイス（Ｕｔ）を備える。
【００６９】
前記統合制御回路（Ｆｘ）は、外部装置（Ｕｏ）から外部インターフェイス（Ｕｔ）を介して電力設定パターン選択信号（Ｓｇ）を受信すると、それに基づき前記電力設定パターンデータ記憶部（Ｕｍ）より前記設定パターンデータ（Ｓｒ）のうちの１個を読み出す。前記統合制御回路（Ｆｘ）は、読み出した前記設定パターンデータ（Ｓｒ）に基づいて、光源駆動グループ（Ｕ１，Ｕ２，…）それぞれに対するオン遷移タイミング信号（Ｅｔ１，Ｅｔ２，…）および目標電力情報（Ｅｚ１，Ｅｚ２，…）を出力する。
【００７０】
さらに、本発明の光源駆動装置の一部を簡略化して示す模式図および概念図である図１５を用いて本形態について具体的に説明する。図１５のａは本発明の光源駆動装置を用いた光照射装置の一部を簡略化して示す模式図、
ｂは、ａに記載した光照射装置に含まれる本発明の光源駆動装置が保持する設定パターンデータ（Ｓｒ）の一例を示す。以下において、この光照射装置と設定パターンデータ（Ｓｒ）について具体的に説明する。
【００７１】
図１５のａに示した、本発明の光源駆動装置を用いた光照射装置は、５個の光源実装基板（Ｐｃｂ１，Ｐｃｂ２，Ｐｃｂ３，Ｐｃｂ４，Ｐｃｂ５）と５個の光源駆動グループ（Ｕ１，Ｕ２，Ｕ３，Ｕ４，Ｕ５）とを含んでおり、１個の光源実装基板は、１個の光源駆動グループから給電を受ける。前記光源実装基板（Ｐｃｂ１，Ｐｃｂ２，…）それぞれの上には、光源素子（Ｙ１ａ，Ｙ２ａ，Ｙ３ａ，Ｙ４ａ，Ｙ５ａ）が実装されており、該光源素子（Ｙ１ａ，Ｙ２ａ，…）のそれぞれは、例えば１６個のＬＥＤが直列接続されて構成されている。また、前記光源実装基板（Ｐｃｂ１，Ｐｃｂ２，…）は、光源素子による発熱を逃がすためのヒートシンク（Ｈｓ）上に実装されている。光源駆動グループ（Ｕ１，Ｕ２，…）のそれぞれは、光源駆動回路（Ｐ１ａ，Ｐ１ｂ，…）の１個づつを含んでいる。
【００７２】
図１５のｂに記載のパターン番号が１の行には、左３個の光源駆動グループ（Ｕ１，Ｕ２，Ｕ３）は最大出力電力の８０％で調光し、残る２個の光源駆動グループ（Ｕ４，Ｕ５）は消灯する設定パターンデータが記憶されていることを示す。またパターン番号が２の行には、右３個の光源駆動グループ（Ｕ３，Ｕ４，Ｕ５）は最大出力電力の８０％で調光し、残る２個の光源駆動グループ（Ｕ１，Ｕ２）は消灯する設定パターンデータが記憶されていることを示す。パターン番号が３の行には、全ての光源駆動グループ（Ｕ１，Ｕ２，Ｕ３，Ｕ４，Ｕ５）を最大出力電力の半分の５０％で調光する設定パターンデータが記憶されていることを示す。パターン番号が４の行には、全ての光源駆動グループ（Ｕ１，Ｕ２，Ｕ３，Ｕ４，Ｕ５）を最大出力電力で調光する設定パターンデータが記憶されていることを示す。パターン番号が５の行には、全ての光源駆動グループ（Ｕ１，Ｕ２，Ｕ３，Ｕ４，Ｕ５）を最大出力電力の１０％で調光する設定パターンデータが記憶されていることを示しており、例えば光照射装置の待機モードで使用される。パターン番号が６の行には、光照射装置の左から右に向かって少しづつ光量を減少させる設定パターンデータが記憶されていることを示す。このように予め電力設定パターンデータ記憶部（Ｕｍ）を保存することで外部装置（Ｕｏ）から光源の駆動パターンを自由に且つ簡単に選択することができる。
【００７３】
次に、本発明の光源駆動装置の一部を簡略化して示す概念図である図１６を用いて本発明を実施するための形態について説明する。本形態は、光源素子（Ｙ１ａ，Ｙ１ｂ，…，Ｙ２ａ，…）とそれを駆動する光源駆動回路（Ｐ１ａ，Ｐ１ｂ，…，Ｐ２ａ，…）からなる光照射装置の何れかの故障を検知した場合に対応するためのものである。
【００７４】
統合制御回路（Ｆｘ）は、故障を検知した場合、前記光源素子（Ｙ１ａ，Ｙ１ｂ，…，Ｙ２ａ，…）または前記光源駆動回路（Ｐ１ａ，Ｐ１ｂ，…，Ｐ２ａ，…）のうちの故障したものに対する光源駆動回路の動作を停止させるとともに、故障による光量の低下を補うために前記光源駆動回路（Ｐ１ａ，Ｐ１ｂ，…，Ｐ２ａ，…）それぞれに対する出力電力の目標値の設定パターンを変更する。図１６のａは故障をする以前の設定パターン、ｂは、光源駆動グループ（Ｕ３）に含まれる光源駆動回路（Ｐ３ａ，Ｐ３ｂ，…）が破損した場合について、出力電力の目標値の設定パターンを変更する時の設定パターンを示す。この場合は、破損した光源駆動グループ（Ｕ３）の動作を停止させると共に、光源駆動グループ（Ｕ３）と隣り合う光源駆動グループ（Ｕ１，Ｕ２）を、故障前よりも増光させるように設定することとしている。このようにすることで、光源素子（Ｙ１ａ，Ｙ１ｂ，…，Ｙ２ａ，…）の一部が故障した場合でも、光照射装置の機能を直ちに停止させることなく、稼動を続けることを可能にすることができる。
【００７５】
本明細書においては、主として光照射装置における用途について説明してきたが、本発明の光源駆動装置は、ＬＥＤやＬＤ等の光源素子を点灯するための光源駆動装置であれば、どのような用途に対しても適用可能であり、良好に効果を発揮する。
【００７６】
本明細書に記載の回路構成は、本発明の光源装置の動作や機能、作用を説明することを目的として、必要最少限のものを記載したものである。したがって、説明した回路構成や動作の詳細事項、例えば、信号の極性であるとか、具体的な回路素子の選択や追加、省略、或いは素子の入手の便や経済的理由に基づく変更などの創意工夫は、実際の装置の設計時に遂行されることを前提としている。
【００７７】
とりわけ過電圧や過電流、過熱などの破損要因から給電装置のＦＥＴ等のスイッチ素子などの回路素子を保護するための機構、または、給電装置の回路素子の動作に伴って発生する放射ノイズや伝導ノイズの発生を低減したり、発生したノイズを外部に出さないための機構、例えば、スナバ回路やバリスタ、クランプダイオード、（パルスバイパルス方式を含む）電流制限回路、コモンモードまたはノーマルモードのノイズフィルタチョークコイル、ノイズフィルタコンデンサなどは、必要に応じて、実施例に記載の回路構成の各部に追加されることを前提としている。本発明になる光源駆動装置の構成は、本明細書に記載の回路方式のものに限定されるものではなく、また、記載の波形やタイミング図に限定されるものではない。
【産業上の利用可能性】
【００７８】
本発明は、被照射面に対し、規定したパワー密度分布で可視または紫外、赤外の光を照射するための光照射装置などの光学装置において使用可能な、可視または紫外、赤外の、複数個のＬＥＤやＬＤなどの光源素子を点灯するための光源駆動装置を設計・製造する産業において利用可能である。
【符号の説明】
【００７９】
Ａｍｐ１  増幅器
Ａｍｐ２  差動増幅器
Ａｍｐ４  バッファ
Ｂ１      バッファ
Ｂ１’    バッファ
Ｃ２０    コンデンサ
Ｃｍｐ    比較器
Ｃｘ      平滑コンデンサ
Ｅｃ’    スイッチタイミング信号
Ｅｃ１    スイッチタイミング信号
Ｅｃ１’  スイッチタイミング信号
Ｅｃ２    スイッチタイミング信号
Ｅｃ２’  スイッチタイミング信号
Ｅｃ３    スイッチタイミング信号
Ｅｃ３’  スイッチタイミング信号
Ｅｔ      オン遷移タイミング信号
Ｅｔ１    オン遷移タイミング信号
Ｅｔ２    オン遷移タイミング信号
Ｅｔ３    オン遷移タイミング信号
Ｅｚ１    目標電力情報
Ｅｚ２    目標電力情報
ＦＦ      フリップフロップ
Ｆｘ      統合制御回路
Ｆｘ’    制御回路
Ｇｇ      ゲート回路
Ｈｓ      ヒートシンク
Ｌｘ      インダクタ
ＭＭ      モノステーブルマルチバイブレータ
ＭＰＵ    マイクロプロセッサ
Ｍｘ      直流電源
Ｏｓｃ１  発振器
Ｏｓｃ２  発振器
Ｏｓｃ３  発振器
Ｐ１’    光源駆動回路
Ｐ１ａ    光源駆動回路
Ｐ１ｂ    光源駆動回路
Ｐ２’    光源駆動回路
Ｐ２ａ    光源駆動回路
Ｐ３’    光源駆動回路
Ｐ３ａ    光源駆動回路
Ｐ３ｂ    光源駆動回路
Ｐｃｂ１  光源実装基板
Ｐｃｂ２  光源実装基板
Ｐｃｂ３  光源実装基板
Ｐｃｂ４  光源実装基板
Ｐｃｂ５  光源実装基板
Ｐｘ１    電力検出手段
Ｑ１ａ    スイッチ素子
Ｒ１      分圧抵抗
Ｒ２      分圧抵抗
Ｒ２０    抵抗
Ｒ２１    抵抗
Ｒ３      シャント抵抗
Ｒ４      シャント抵抗
Ｒａｍｐ  傾斜補正信号生成回路
Ｓａ      目標電力規定信号
Ｓｆｒ    電流超過信号
Ｓｆｓ    初期化信号
Ｓｇ      電力設定パターン選択信号
Ｓｉ      シーケンス初期化信号
Ｓｉｎ    抵抗両端電位信号
Ｓｉｐ    抵抗両端電位信号
Ｓｉｑ    スイッチ電流検出信号
Ｓｉｒ    誤差変換信号
Ｓｊ      光源電流信号
Ｓｐ１    電力相関信号
Ｓｐ２    電力相関信号
Ｓｑ      ゲート信号
Ｓｒ      設定パターンデータ
Ｓｓ１    目標電力信号
Ｓｓ１’  目標電力信号
Ｓｓ２    目標電力信号
Ｓｓ２’  目標電力信号
Ｓｓ３    目標電力信号
Ｓｓ３’  目標電力信号
Ｓｔ      電流ピーク信号
Ｓｖ      光源素子印加電圧信号
ｔ１      期間
ｔ２      期間
ｔ３      期間
Ｕ１      光源駆動グループ
Ｕ２      光源駆動グループ
Ｕ３      光源駆動グループ
Ｕ４      光源駆動グループ
Ｕ５      光源駆動グループ
Ｕｆ１    オフ遷移タイミング回路
Ｕｈ１    誤差変換回路
Ｕｍ      電力設定パターンデータ記憶部
Ｕｏ      外部装置
Ｕｔ      外部インターフェイス
Ｕｖ１ａ  スイッチゲート駆動回路
Ｕｗ１ａ  タイミング信号受信回路
Ｕｗ１ｂ  タイミング信号受信回路
Ｕｗ２ａ  タイミング信号受信回路
Ｕｘ１’  コンバータ
Ｕｘ１ａ  コンバータ
Ｕｘ１ｂ  コンバータ
Ｕｘ２’  コンバータ
Ｕｘ２ａ  コンバータ
Ｕｘ３’  コンバータ
Ｖ１      電圧値
Ｖ２      電圧値
Ｖ３      電圧値
Ｙ１      光源素子
Ｙ１ａ    光源素子
Ｙ１ｂ    光源素子
Ｙ２      光源素子
Ｙ２ａ    光源素子
Ｙ３      光源素子
Ｙ３ａ    光源素子
Ｙ４ａ    光源素子
Ｙ５ａ    光源素子
Σ        加算器
τ１      オン期間
τ２      オフ期間
【図１】
2015002135.tif 000003
【図２】
2015002135.tif 000004
【図３】
2015002135.tif 000005
【図４】
2015002135.tif 000006
【図５】
2015002135.tif 000007
【図６】
2015002135.tif 000008
【図７】
2015002135.tif 000009
【図８】
2015002135.tif 000010
【図９】
2015002135.tif 000011
【図１０】
2015002135.tif 000012
【図１１】
2015002135.tif 000013
【図１２】
2015002135.tif 000014
【図１３】
2015002135.tif 000015
【図１４】
2015002135.tif 000016
【図１５】
2015002135.tif 000017
【図１６】
2015002135.tif 000018
【図１７】
2015002135.tif 000019
【図１８】
2015002135.tif 000020
【図１９】
2015002135.tif 000021